(57)【要約】【課題】  高い防水性を長期間にわたって確保する。【解決手段】  受け金具１を壁下地１１に固着する。金属板よりなる外装材１３の一端部を受け金具１の一方の外装材裏面側受け部５に第一のシール材６を介して固着具１２により固着する。外装材１３の他端部を隣接する受け金具１の他方の外装材裏面側受け部５に第一のシール材６を介して重ね且つ該外装材１３の他端部の先端と突片４との間にスライド用間隔１４を形成する。被係止部８を係止部３に係止して、外側カバー７の一方の外装材表面側受け部９を第二のシール材１０を介して外装材１３の固着具１２による固着部分を含む表面の一端部に押圧すると共に外側カバー７の他方の外装材表面側受け部９を第二のシール材１０を介して隣接する他の外装材１３の表面の他端部に押圧する。【選択図】        図１
2005314957.tif 000002
【特許請求の範囲】
【請求項１】
長尺の受け金具の巾方向の中央部を固着部とし且つ固着部の表面の巾方向の両端部から前方に係止部を有する突片を突設し且つ受け金具の上記突片の突出基部から巾方向の両側端部の領域を外装材裏面側受け部とし、両側の外装材裏面側受け部の表面に弾性を有する第一のシール材を設け、長尺の外側カバーの裏面の巾方向の中央部の両側に被係止部を設けると共に長尺の外側カバーの上記両側の被係止部から巾方向の両側端部までの領域を外装材表面側受け部とし、両側の外装材表面側受け部の裏面に弾性を有する第二のシール材を設け、受け金具の固着部を壁下地に固着具により固着し、金属板よりなる外装材の一端部を受け金具の一方の外装材裏面側受け部に第一のシール材を介して固着具により固着すると共に該外装材の他端部を隣接する受け金具の他方の外装材裏面側受け部に第一のシール材を介して重ね且つ該外装材の他端部の先端と突片との間にスライド用間隔を形成し、外側カバーの被係止部を受け金具の係止部に係止して、外側カバーの一方の外装材表面側受け部を第二のシール材を介して外装材の固着具による固着部分を含む表面の一端部に押圧すると共に外側カバーの他方の外装材表面側受け部を第二のシール材を介して隣接する他の外装材の表面の他端部に押圧して成ることを特徴とする外装材の取付け構造。
【発明の詳細な説明】
【技術分野】
【０００１】
本発明は、新築や改築において外装材を取付ける技術に関するものである。
【背景技術】
【０００２】
従来から新築、あるいは改築において、外装材を現場で壁下地に取付けるに当たっては、釘打ちにより固着し、隣接する外装材の端部間に現場でコーキング材を充填したり、目地カバーを取付けたりしていた。
【０００３】
上記従来例においては、釘の頭部が外部に露出し、外観が悪く、また、釘打ち箇所から水が浸入するという問題があった。また、現場におけるコーキング材の充填作業は面倒な作業であり、しかも、コーキング材が外部に露出するため経年変化で変色して外観が悪くなるだけでなく、外部に露出するため劣化しやすく防水性にも問題を残していた。また、目地カバーを取付けるものにおいては、目地部分における防水性が問題であった。
【０００４】
また、外装材は少なくとも両端部が釘打ちにより固着してあって両端部が釘打ちにより移動しないように拘束してあるので、外装材として金属板よりなる外装材を用いた場合、温度変化による外装材の伸縮が大きいため、外装材が波打ったりする恐れがある。
【０００５】
また、外装材を現場で壁下地に取付けるに当たって金具を用いて取付けるものが特許文献１や特許文献２により知られている。
【０００６】
特許文献１に示される従来例は、図５に示すように、外装材３０を固着具により直接固着してなくて、外装材３０の端面部に係止凹部３１を形成し、この係止凹部３１を壁下地３９に固着した取付け金具３２の係止片に係止して取付けているので、取付け強度が弱く、外装材３０ががたついたりするおそれがあり、また、外装材３０に係止凹部３１を形成する必要がある。更に、外装材３０間にガスケット３３を差し込み、更にコーキング材３４を充填して防水しているだけなので、コーキング材３４が外部に露出して経年変化で変色して外観が悪くなるだけでなく、コーキング材３４が外部に露出するため劣化しやすく防水性にも問題がある。
【０００７】
また、特許文献２に示される従来例は、図６に示すようにくさび状金具３５の傾斜面３６を外装材３０のテーパー面３７に押し当ててねじ具３８でくさび状金具３５を壁下地３９に固着することで外装材３０を取付けるようにしたものである。この従来例においても、外装材３０を固着具により直接固着してないので、取付け強度が弱く、更に、外装材３０の端部間から水が浸入するという問題がある。
【特許文献１】実開平６−８２２６１号公報
【特許文献２】実開平６−５６２９５号公報
【発明の開示】
【発明が解決しようとする課題】
【０００８】
本発明は上記の従来の問題点に鑑みて発明したものであって、簡単な構成で高い防水性を長期間にわたって確保すると共に外観よく外装材を取付けることができ、しかも金属製の外装材の熱による伸縮が生じても、伸縮を吸収すると共に伸縮を吸収する部分における防水性を確保できる外装材の取付け構造を提供することを課題とするものである。
【課題を解決するための手段】
【０００９】
上記課題を解決するために本発明に係る外装材の取付け構造は、長尺の受け金具１の巾方向の中央部を固着部２とし且つ固着部２の表面の巾方向の両端部から前方に係止部３を有する突片４を突設し且つ受け金具１の上記突片４の突出基部から巾方向の両側端部の領域を外装材裏面側受け部５とし、両側の外装材裏面側受け部５の表面に弾性を有する第一のシール材６を設け、長尺の外側カバー７の裏面の巾方向の中央部の両側に被係止部８を設けると共に長尺の外側カバー７の上記両側の被係止部８から巾方向の両側端部までの領域を外装材表面側受け部９とし、両側の外装材表面側受け部９の裏面に弾性を有する第二のシール材１０を設け、受け金具１の固着部２を壁下地１１に固着具１２により固着し、金属板よりなる外装材１３の一端部を受け金具１の一方の外装材裏面側受け部５に第一のシール材６を介して固着具１２により固着すると共に該外装材１３の他端部を隣接する受け金具１の他方の外装材裏面側受け部５に第一のシール材を介して重ね且つ該外装材１３の他端部の先端と突片４との間にスライド用間隔１４を形成し、外側カバー７の被係止部８を受け金具１の係止部３に係止して、外側カバー７の一方の外装材表面側受け部９を第二のシール材１０を介して外装材１３の固着具１２による固着部分を含む表面の一端部に押圧すると共に外側カバー７の他方の外装材表面側受け部９を第二のシール材１０を介して隣接する他の外装材１３の表面の他端部に押圧して成ることを特徴とするものである。
【００１０】
このような構成とすることで、外装材１３の一端部を固着する固着具１２は第一のシール材６を貫通し且つ第二のシール材１０で頭部が覆われることで、固着具１２の貫通部分及び固着具１２の頭部の防水を確実に図ることができ、また、外装材１３の両端部は何れも裏面側及び表面側をそれぞれ第一のシール材６、第二のシール材１０で二重に防水すると共に更に隣接する両外装材１３の端部間の表面を外側カバー７により覆うので、外装材１３の両端部の取付け部分の防水性が高く、しかも、第一のシール材６、第二のシール材１０とも外部に露出せず、外側カバー７が外部に露出するので第一のシール材６、第二のシール材１０の劣化を防止し、長期間にわたって、高い防水性を維持でき、また、外観も良いものであり、更に、金属板よりなる外装材１３は一端部が固着具１２により固着され、他端部は固着してなくて第一のシール材６、第二のシール材１０を介して外装材裏面側受け部５と外装材表面側受け部９とで挟持すると共に外装材１３の他端部の先端と突片４との間にスライド用間隔１４を形成してあるので、金属板よりなる外装材１３が熱により伸縮しても、この他端部の挟持部分でスライドすることで伸縮を吸収でき、金属板製の外装材１３が波打ったりせず、また、伸縮しても防水性を確保できるものである。
【発明の効果】
【００１１】
本発明は、外装材の一端部を壁下地に固着するための固着具の貫通部分及び固着具の頭部の防水を確実に図ることができ、また、外装材の両端部は何れも裏面側及び表面側をそれぞれ第一のシール材、第二のシール材で二重に防水すると共に更に隣接する両外装材の端部間の表面を外側カバーにより覆うので、外装材の両端部の取付け部分の防水性が高く、しかも、第一のシール材、第二のシール材とも外部に露出せず、外側カバーが外部に露出するので第一のシール材、第二のシール材の劣化を防止し、長期間にわたって、高い防水性を維持でき、また、外観も良いものであり、更に、金属板よりなる外装材が熱により伸縮しても、この他端部の挟持部分でスライドすることで伸縮を吸収でき、金属板製の外装材が波打ったりせずに外観が良いと共に伸縮しても防水性を確保できるものである。
【発明を実施するための最良の形態】
【００１２】
以下、本発明を添付図面に示す実施形態に基いて説明する。
【００１３】
受け金具１は図２、図４に示すように、アルミニウムの押出し成形等により形成された長尺の部材で、巾方向の中央部が長手方向にわたって帯状をした固着部２となっており、受け金具１の表面の固着部２の巾方向の両端部に位置する部位から長手方向の全長にわたってそれぞれ前方に突出する突片４が突設してあり、該突片４の先端部には係止部３が設けてあり、更に、受け金具１の上記突片４の突出基部から両側端部の領域を長手方向の全長にわたって帯状をした外装材裏面側受け部５としてある。受け金具１の巾方向の両端部の外装材裏面受け部５の表面には全面にわたってゴム等の弾性を有する第一のシール材６が貼着してある。
【００１４】
外側カバー７は図４に示すように、アルミニウムの押出し成形等により形成された長尺の部材で、外側カバー７の裏面の巾方向の中央部の両側に被係止部８を長手方向の全長にわたって後方向に向けて突設してあり、長尺の外側カバー７の上記両側の被係止部８から巾方向の両側端部までの領域を長手方向の全長にわたって帯状をした外装材表面側受け部９としてある。外側カバー７の巾方向の両側部の外装材表面側受け部９の裏面には発砲ウレタン、ＥＰＤＭ等の水密材と称される弾性を有する第二のシール材１０を取着してある。
【００１５】
外装材１３は金属板製であり、この外装材１３を現場において壁下地１１の外面（表面）側に取付けるには以下のようにして取付けるものである。
【００１６】
すなわち、上記した受け金具１を壁下地１１の外面に当接し、固着具１２により受け金具１の固着部２を壁下地１１に固着する。このようにして壁下地１１に所定間隔を隔てて複数の受け金具１を並設固着する。次に、隣合う受け金具１間に金属製の外装材１３を配置し、外装材１３の両端部をそれぞれ一方の受け金具１の一端部の外装材裏面側受け部５と他方の受け金具１の他端部の外装材裏面側受け部５とに第１のシール材６を介して重ね、この状態で外装材１３の一端部を釘やビスのような固着具１２により第１のシール材６、一端部の外装材裏面受け部５を貫通して壁下地１１に固着する。この場合、外装材１３の一端部のみ上記のように固着具１２により固着するもので、他端部は固着具１２により固着することなく外装材裏面側受け部５に第１のシール材６を介して重ねた状態とするものであり、この固着していない方の外装材１３の他端部の先端とこれと対向する突片４との間にスライド用間隙１４を形成するようにする（図１、図３参照）。次に、外側カバー７を隣接する外装材１３の端部間の前方に位置させ、外側カバー７を後方に押し込んで図１のように外側カバー７の被係止部８を受け金具１の係止部３に係止して外側カバー７を取付ける。このように外側カバー７を取付けることで、図１のように外側カバー７の一方の外装材表面側受け部９を第二のシール材１０を介して外装材１３の固着具１２による固着部分を含む表面の一端部に押圧すると共に外側カバー７の他方の外装材表面側受け部９を第二のシール材１０を介して隣接する他の外装材１３の表面の他端部に押圧する。これにより、外装材１３の固着具１２で固着した方の一端部は固着具１２による固着に加え、第１のシール材６、第２のシール材１０を介して外装材裏面側受け部５と外装材表面側受け部９とで表裏から挟持され、また、外装材１３の固着具１２で固着していない方の他端部は第１のシール材６、第２のシール材１０を介して外装材裏面側受け部５と外装材表面側受け部９とで表裏から挟持されることで取付けられる。
【００１７】
しかも、取付け状態においては、図１に示すように、外装材１３の両端部はいずれも裏面側及び表面側をそれぞれ第一のシール材６、第二のシール材１０で二重に防水されることになり、更に、隣接する両外装材１３の端部間の表面が外側カバー７により覆われるので、外装材１３の両端部の取付け部分の防水性がきわめて高くなる。しかも、第一のシール材６、第二のシール材１０とも外部に露出せず、外側カバー７が外部に露出するので第一のシール材６、第二のシール材１０の劣化を防止し、長期間にわたって、高い防水性を維持でき、また、外観も良いものである。また、外装材１３の一端部を固着する固着具１２は第一のシール材６を貫通し且つ第二のシール材１０で頭部が覆われるものであって、固着具１２の貫通部分及び固着具１２の頭部の防水が確実に図られ、固着具１２による固着部分から雨水が浸入することがない。
【００１８】
また、金属板製の外装材１３は外気温の変化により熱で伸縮するが、外装材１３は一端部のみを固着具１２で固着しているのみで、他端部は表裏から挟持しているので、他端部の挟持部分でスライドして伸縮を吸収することができるものであり、金属板製の外装材１３が波打ったりせず、また、伸縮しても第一のシール材６、第二のシール材１０を介して挟持してあるので防水性を確保できるものである。
【００１９】
ところで、本発明における外装材１３の取付けの技術は、新築の場合における外装材１３の取付け、改装の場合における外装材１の取付けに適用できるものである。そして、壁下地１１としては新築の場合には胴縁、パネル枠等が壁下地１１を構成するものであり、改築の場合には既設の外壁をそのまま壁下地１１として用いることができる。つまり、改築の場合、既設の外壁の外面に存在する既設の外装材を撤去することなくそのまま改装の際の壁下地１１として利用し、該壁下地１１となる既設の外装材の上に上記ようにして新たな金属製の外装材１３を取付けることができるものである。もちろん、改築の際に既設の外壁の外装材を撤去し、既設の外壁の胴縁やパネル枠を改装の際の壁下地１１として利用してもよいものである。
【図面の簡単な説明】
【００２０】
【図１】本発明の断面図である。
【図２】同上の分解斜視図である。
【図３】同上の外側カバーを取付ける前の斜視図である。
【図４】同上に用いる受け金具と外側カバーとを示す分解断面図である。
【図５】従来例の断面図である。
【図６】他の従来例の断面図である。
【符号の説明】
【００２１】
１  受け金具
２  固着部
３  係止部
４  突片
５  外装材裏面側受け部
６  第一のシール材
７  外側カバー
８  被係止部
９  外装材表面側受け部
１０  第二のシール材
１１  壁下地
１２  固着具
１３  外装材
【図１】
2005314957.tif 000003
【図２】
2005314957.tif 000004
【図３】
2005314957.tif 000005
【図４】
2005314957.tif 000006
【図５】
2005314957.tif 000007
【図６】
2005314957.tif 000008